(57)【要約】【課題】夾雑物受枠の端部の段差をなくして夾雑物を容易に除去できる雨水貯留浸透システムを提供する。【解決手段】雨水を貯留又は浸透させる貯留浸透施設１と、貯留浸透施設１の下部に敷設される夾雑物受枠２と、夾雑物受枠２に貯留された夾雑物を取り除くために貯留浸透施設１に近接して設置される点検口３と、を備える雨水貯留浸透システムＳである。  そして、夾雑物受枠２は、少なくとも点検口３の内面３１位置まで延長される。【選択図】図１
2009249874.tif 000002
【特許請求の範囲】
【請求項１】
雨水を貯留又は浸透させる貯留浸透施設と、前記貯留浸透施設の下部に敷設される夾雑物受枠と、前記夾雑物受枠に貯留された夾雑物を取り除くために前記貯留浸透施設に近接して設置される点検口と、を備える雨水貯留浸透システムであって、
前記夾雑物受枠は、少なくとも前記点検口の内面位置まで延長されることを特徴とする雨水貯留浸透システム。
【請求項２】
前記貯留浸透施設と前記点検口とが間隔をおいて配置されている場合に、
前記夾雑物受枠の前記貯留浸透施設から出て前記点検口に入るまでの部分は、さや管によって覆われることを特徴とする請求項１に記載の雨水貯留浸透システム。
【請求項３】
雨水を貯留又は浸透させる貯留浸透施設と、前記貯留浸透施設の下部に敷設される夾雑物受枠と、前記夾雑物受枠に貯留された夾雑物を取り除くために前記貯留浸透施設に近接して設置される点検口と、を備える雨水貯留浸透システムであって、
前記貯留浸透施設と前記点検口とが間隔をおいて配置されている場合に、
前記夾雑物受枠と前記点検口のインバート部とは、断面形状が滑らかに変化する変換継手によって接続されることを特徴とする雨水貯留浸透システム。
【請求項４】
雨水を貯留又は浸透させる貯留浸透施設と、前記貯留浸透施設の下部に敷設される夾雑物受枠と、前記夾雑物受枠に貯留された夾雑物を取り除くために設置される点検口と、を備える雨水貯留浸透システムであって、
前記点検口は、本体筒部と蓋部とを有し、前記本体筒部は前記夾雑物受枠の上方に位置して下方を向いて開口するように前記貯留浸透施設に固定されるとともに、前記蓋部は前記本体筒部と分離されて地盤に支持されることを特徴とする雨水貯留浸透システム。
【請求項５】
前記貯留浸透施設は、複数の充填部材を組立てることによって構成されるとともに、前記充填部材層には雨水を一定方向に誘導して前記夾雑物受枠に流下させる誘導手段を有することを特徴とする請求項１乃至請求項４のいずれか一項に記載の雨水貯留浸透システム。
【発明の詳細な説明】
【技術分野】
【０００１】
本発明は、雨水を貯留又は浸透させる雨水貯留浸透システムに関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
このような雨水貯留浸透槽として、例えば特許文献１では、排水路内に充填部材を連設した浸透渠部を設け、充填部材に一体に形成される傾斜面部の雨水流下方向を、排水路の流れ方向と一致させる構成が開示されている。
【０００７】
したがって、雨水とともに流入した砂や汚泥が、充填部材の傾斜面部の雨水流下方向に沿って移動することで、砂や汚泥が堆積することなく一定の方向へ移動するため、一箇所で収集することができるというメリットがある。
【特許文献１】特開２００７−１６５８２号公報
【発明の開示】
【発明が解決しようとする課題】
【０００８】
ところで、前記特許文献１では、充填部材の下部に夾雑物受枠が設置されており、この夾雑物受枠に砂などの夾雑物を集め、点検口からバキューム等によって夾雑物を除去していた。
【０００９】
しかしながら、図９に示すように、夾雑物受枠２と点検口３は継手９によって接続されており、この夾雑物受枠２の内面２１と継手９の内面９１との間に段差が生じていた。そして、段差が生じている夾雑物受枠２の端部近傍に夾雑物が溜まるため、完全には除去しにくくなっていた。
【００１０】
そこで、本発明は、夾雑物受枠の端部の段差をなくして夾雑物を容易に除去できる雨水貯留浸透システムを提供することを目的としている。
【課題を解決するための手段】
【００１１】
前記目的を達成するために、本発明の雨水貯留浸透システムは、雨水を貯留又は浸透させる貯留浸透施設と、前記貯留浸透施設の下部に敷設される夾雑物受枠と、前記夾雑物受枠に貯留された夾雑物を取り除くために前記貯留浸透施設に近接して設置される点検口と、を備える雨水貯留浸透システムであって、前記夾雑物受枠は、少なくとも前記点検口の内面位置まで延長されることを特徴とする。
【００１２】
また、前記貯留浸透施設と前記点検口とが間隔をおいて配置されている場合に、前記夾雑物受枠の前記貯留浸透施設から出て前記点検口に入るまでの部分は、さや管によって覆われる構成とすることができる。
【００１３】
さらに、本発明の雨水貯留浸透システムは、雨水を貯留又は浸透させる貯留浸透施設と、前記貯留浸透施設の下部に敷設される夾雑物受枠と、前記夾雑物受枠に貯留された夾雑物を取り除くために前記貯留浸透施設に近接して設置される点検口と、を備える雨水貯留浸透システムであって、前記貯留浸透施設と前記点検口とが間隔をおいて配置されている場合に、前記夾雑物受枠と前記点検口のインバート部とは、断面形状が滑らかに変化する変換継手によって接続されることを特徴とする。
【００１４】
そして、本発明の雨水貯留浸透システムは、雨水を貯留又は浸透させる貯留浸透施設と、前記貯留浸透施設の下部に敷設される夾雑物受枠と、前記夾雑物受枠に貯留された夾雑物を取り除くために設置される点検口と、を備える雨水貯留浸透システムであって、前記点検口は、本体筒部と蓋部とを有し、前記本体筒部は前記夾雑物受枠の上方に位置して下方を向いて開口するように前記貯留浸透施設に固定されるとともに、前記蓋部は前記本体筒部と分離されて地盤に支持されることを特徴とする。
【００１５】
また、前記貯留浸透施設は、複数の充填部材を組立てることによって構成されるとともに、前記充填部材層には雨水を一定方向に誘導して前記夾雑物受枠に流下させる誘導手段を有することが好ましい。
【発明の効果】
【００１６】
このように、本発明の雨水貯留浸透システムは、貯留浸透施設と夾雑物受枠と点検口とを備える雨水貯留浸透システムであって、夾雑物受枠は、少なくとも点検口の内面位置まで延長される。
【００１７】
したがって、夾雑物受枠を延長することによって、夾雑物受枠の端部近傍に段差が生じないため、夾雑物が溜まることがなくなるうえに容易に夾雑物を除去できる。
【００１８】
また、貯留浸透施設と点検口とが間隔をおいて配置されている場合に、夾雑物受枠の貯留浸透施設から出て点検口に入るまでの部分は、さや管によって覆われることで、周囲の土砂の夾雑物受枠への崩落・浸入を防止しつつ、夾雑物を容易に除去できる。
【００１９】
さらに、本発明の雨水貯留浸透システムは、貯留浸透施設と夾雑物受枠と点検口とを備える雨水貯留浸透システムであって、貯留浸透施設と点検口とが間隔をおいて配置されている場合に、夾雑物受枠と点検口のインバート部とは、断面形状が滑らかに変化する変換継手によって接続されることを特徴とする。
【００２０】
したがって、点検口がインバート部を有する場合でも、夾雑物受枠とインバート部とを滑らかに接続することで、夾雑物が溜まることがなくなるうえに夾雑物を容易に除去できる。
【００２１】
そして、本発明の雨水貯留浸透システムは、貯留浸透施設と夾雑物受枠と点検口とを備える雨水貯留浸透システムであって、点検口は、本体筒部と蓋部とを有し、本体筒部は夾雑物受枠の上方に位置して下方を向いて開口するように貯留浸透施設に固定されるとともに、蓋部は本体筒部と分離されて地盤に支持される。
【００２２】
したがって、貯留浸透施設内に点検口を設置することで雨水貯留浸透システム全体の設置面積を小さくできるうえに、蓋部が本体筒部と分離されて地盤に支持されることで上載荷重が夾雑物受枠に作用することを防止できる。
【００２３】
また、貯留浸透施設は、複数の充填部材を組立てることによって構成されるとともに、充填部材層には雨水を一定方向に誘導して夾雑物受枠に流下させる誘導手段を有することで、充填部材を複数列敷設した際でも、夾雑物を一方向に集めて効率よく除去できる。
【発明を実施するための最良の形態】
【００２４】
以下、本発明の最良の実施の形態について図面を参照して説明する。
【００２５】
まず、図１を用いて本発明の雨水貯留浸透システムＳの全体構成を説明する。
【００２６】
本実施の形態の雨水貯留浸透システムＳは、図１に示すように、雨水を貯留又は浸透させるために道路の脇に設けられた側道下などに埋設される貯留浸透施設１と、この貯留浸透施設１の下部に敷設される夾雑物受枠２と、この夾雑物受枠２に貯留された夾雑物を取り除くために貯留浸透施設１に近接して設置される点検口３，３と、を備えている。
【００２７】
この貯留浸透施設１は、図８に示すように、充填部材６としての底板部６１、傾斜板部６３、天板部６５が、三角柱状の連結片６２，６４，・・・を介して重ね合わされて骨格が形成され、下部には夾雑物受枠２が挿入されて、全体が透水シート１４（図１，２参照）によって覆われて地盤７に埋設されている。
【００２８】
これらの底板部６１、傾斜板部６３、天板部６５は、合成樹脂によって形成されるもので、所定の貯留空間を有するとともに所定の強度を有するように、縦横にリブが設けられて補強されている。
【００２９】
また、傾斜板部６３は、平面部が傾斜した傾斜面部６３ａを備えており、この傾斜面部６３ａの四隅の上下には連結片６２，６４，・・・が嵌合されて上下に複数重ね合わされる。なお、図８では、説明の便宜のために傾斜板部６３を１つ用いる場合を説明している。
【００３０】
さらに、貯留浸透施設１に複数敷設される傾斜板部６３，・・・は、傾斜面部６３ａ，・・・の傾斜方向が一定方向に揃えられていることで、流入管１３から流入して雨水とともに傾斜面部６３ａ，・・・を流下する泥や砂などが、一定の方向に誘導されるように形成されている。
【００３１】
そして、貯留浸透施設１の地盤７に向いた側面には、図１，２に示すように、板状の側板６９，・・・が取り付けられて、充填部材６の側面から作用する土圧を支持して充填部材６内に周囲の土砂が入り込むことを防止している。
【００３２】
加えて、貯留浸透施設１の延長方向の端部の外面１１には、図２に示すように、夾雑物受枠２を覆うさや管４を構成する自在曲管１２が取付板１２ａを介してビスや接着剤などによって取り付けられている。
【００３３】
この自在曲管１２は、合成樹脂によって形成されるもので、図２に示すように、取付板部１２ａと円筒部１２ｂと球面状の嵌合部１２ｃとを備えている。
【００３４】
また、貯留浸透施設１全体を覆う透水シート１４は、ポリエステル系の不織布などによって形成されるため透水性を備えており、貯留された雨水を地盤７へ浸透させるように形成されている。
【００３５】
さらに、夾雑物受枠２は、合成樹脂によって略コ字状断面を有する長尺状に形成されるもので、コ字の開いた側を上に向けた状態で、上記した充填部材６の最下部の中央に充填部材６の敷設方向に沿って挿入されている。
【００３６】
つまり、この夾雑物受枠２は、底板部６１の上面と連結片６２，・・・の側面と傾斜板部６３の下面とによって形成される四角柱状の空間を、隣接する充填部材６を連通するように挿入されている。
【００３７】
なお、この夾雑物受枠２には、コ字の両方の上縁に沿って内側に突出した折り返しを設けることで、夾雑物を除去する際のジェット噴射等による巻上げを抑制することもできる。
【００３８】
そして、点検口３は、合成樹脂によって円筒状に形成されるもので、下筒部３２ａと、この下筒部３２ａに止水ゴムを介して上下方向移動可能に挿入される上筒部３２ｂと、上筒部３２ｂの上方を塞ぐ蓋部３３と、を備えて地盤７中に立設されている。
【００３９】
また、この下筒部３２ａの側面には夾雑物受枠２が挿入されるさや管４を構成する円筒状の挿口３８が外側に向けて突出するように設けられている。
【００４０】
そして、本実施の形態の雨水貯留浸透システムＳは、図１に示すように、夾雑物受枠２が、点検口３の貯留浸透施設１に近い側の内面３１の位置を超えて点検口３の内部まで延長されている。
【００４１】
すなわち、夾雑物受枠２は、図２に示すように、点検口３の内面３１よりも内側まで延長され、貯留浸透施設１の外面１１から点検口３の外面３６までの露出した部分をさや管４としての自在曲管１２及び挿口３８とによって覆われている。
【００４２】
つまり、夾雑物受枠２は、図９に示す従来例とは異なり、貯留浸透施設１の外面１１位置までの長さに形成されるものではなく、外面１１位置を超えてさらに点検口３の内面３１を超える長さに形成されている。
【００４３】
次に、本実施の形態の雨水貯留浸透システムＳの作用について説明する。
【００４４】
このように、雨水貯留浸透システムＳは、貯留浸透施設１と夾雑物受枠２と点検口３，３とを備える雨水貯留浸透システムＳであって、夾雑物受枠２は、点検口３の内面３１位置を超えて、点検口３の内部に突出するように延長されている。
【００４５】
したがって、夾雑物受枠２を延長することによって、夾雑物受枠２の端部近傍に段差が生じないため、夾雑物が溜まることがなくなるうえに容易に夾雑物を除去することができる。
【００４６】
すなわち、雨が降った場合には、道路の表面の雨水は路面の横断方向の勾配によって側道に誘導され、側道の縦断方向の勾配によってマスに集められて、流入管１３に流れ込む。
【００４７】
次に、この流入管１３に流れ込んだ雨水は、貯留浸透施設１に流入し、傾斜板部６３，・・・を順に伝わっていくように流下し、最下部の傾斜板部６３，・・・に達し、最下部に敷設された夾雑物受枠２に流れ込む。
【００４８】
同時に、雨水に混入している夾雑物も、雨水とともに傾斜板部６３，・・・を順に伝わっていくように流下して、最下部に敷設された夾雑物受枠２に流れ込んで貯留される。
【００４９】
ここにおいて、夾雑物を受ける夾雑物受枠２が点検口３まで延長されていることで、貯留浸透施設１内での段差がなくなるため、夾雑物２の移動を阻害して一箇所に集中して堆積させることがなくなる。
【００５０】
さらに、雨水は、貯留浸透施設１の底面や側面などから、透水シート１４を通じて地盤７へ浸透していく。降雨の強度が強い場合には、雨水は雨水貯留浸透システムＳに一時的に貯留された後に地盤７に浸透していく。
【００５１】
そして、夾雑物受枠２に溜まった泥や砂などの夾雑物を除去する際には、一方の点検口３からバキュームホースを挿入し、夾雑物受枠２の内側を通して夾雑物を吸い取る。
【００５２】
この際、夾雑物受枠２が点検口３の内部まで延長されていることで、点検口３から挿口３８を通じてバキュームホースを挿入しやすくなるうえに、挿入後もバキュームホースを滑らかに移動させることができる。
【００５３】
また、夾雑物が夾雑物受枠２の段差部に局所的に貯留されないことで、夾雑物を除去するための点検・整備の回数を減らすことができる。
【００５４】
加えて、夾雑物受枠２に勾配が設けられていれば、夾雑物を一方の点検口３の近傍に集めておくことで、バキュームホースなどによる夾雑物の除去をよりいっそう容易にすることができる。
【００５５】
さらに、貯留浸透施設１と点検口３とが間隔をおいて配置されている場合に、夾雑物受枠２の貯留浸透施設１から出て点検口３に入るまでの部分は、さや管４としての自在曲管１２及び挿口３８によって覆われることで、周囲の土砂の夾雑物受枠への崩落・浸入を防止しつつ、夾雑物を容易に除去できる。
【００５６】
すなわち、さや管４によって夾雑物受枠２を覆うことによって、夾雑物受枠２の構造を変えることなく、夾雑物受枠２を点検口３まで延長することができる。
【００５７】
また、本実施の形態の自在曲管１２は、既製の充填部材６に後からビスや接着剤などによって取り付けるものであるため、充填部材６として従来と同一構造の部材を用いることができる。
【００５８】
さらに、さや管４が、自在曲管１２に挿口３８を挿入して形成されるため、施工時の位置ずれによる挿入不良を防止することができるうえに、経年的な変位によるさや管４の破損を防止することもできる。
【００５９】
そして、さや管４と夾雑物受枠２の隙間にモルタル等を充填することによって、夾雑物受枠２を安定して支持できるうえに、この隙間を通じて点検口３から貯留浸透施設１へ雨水が逆流することを防止できる。
【実施例１】
【００６０】
以下、図３を用いて、前記実施の形態とは別の形態の雨水貯留浸透システムＳ１について説明する。
【００６１】
なお、前記実施の形態で説明した内容と同一乃至均等な部分の説明については同一符号を付して説明する。
【００６２】
まず、構成から説明すると、本実例の雨水貯留浸透システムＳ１は、図３に示すように、貯留浸透施設１と、夾雑物受枠２と、点検口３，３と、を備えている。
【００６３】
この点検口３は、コンクリートによって筒状に形成される、いわゆるマンホールであり、内部に人間が入って夾雑物の除去などをおこなうことができる程度の広さを有している。
【００６４】
そして、本実施例では、前記実施の形態とは異なり、点検口３の側面が貯留浸透施設１の側面に接するように配置されており、さや管を用いることなく夾雑物受枠２が延長されている。
【００６５】
加えて、この夾雑物受枠２は、点検口３の内面３１位置まで延長されているが、点検口３の内部に突出する位置までは延長されていない。
【００６６】
さらに、点検口３は、夾雑物受枠２が接続される位置よりも下方に伸ばされて所定の深さの泥溜部３９が設けられている。
【００６７】
次に、作用について説明する。
【００６８】
このように、本実施例の雨水貯留浸透システムＳ１は、夾雑物受枠２が、点検口３の内面３１位置まで延長されることによって、夾雑物受枠２の端部近傍に段差が生じないため、夾雑物が溜まることがなくなるうえに、容易に夾雑物を除去することができる。
【００６９】
また、貯留浸透施設１と点検口３とが互いに接するように配置されることで、さや管を用いることなく、夾雑物受枠２を延長することができる。
【００７０】
加えて、さや管を用いる必要がないことで、雨水貯留浸透システムＳ１の全長が同じ場合には、貯留浸透施設１の長さを長くして、容量を大きくすることができる。
【００７１】
さらに、夾雑物受枠２が点検口３の内部に突出しないことで、泥溜部３９に貯留された夾雑物を除去する際に支障となることがない。
【００７２】
そして、点検口３は、夾雑物受枠２が接続される位置よりも下方に伸ばされて、夾雑物を溜める泥溜部３９を形成することで、この泥溜部３９に夾雑物を貯留して容易に除去できるようになる。
【００７３】
特に、夾雑物受枠２に勾配を設けた場合には、下流側の点検口３に泥溜部３９を設けて夾雑物を貯留することで、夾雑物をいっそう容易に除去できるようになる。
【００７４】
なお、この他の構成および作用効果については、前記実施の形態と略同様であるため説明を省略する。
【実施例２】
【００７５】
以下、図４，５を用いて、前記実施の形態及び実施例１とは別の形態の雨水貯留浸透システムＳ２について説明する。
【００７６】
なお、前記実施の形態で説明した内容と同一乃至均等な部分の説明については同一符号を付して説明する。
【００７７】
まず、構成から説明すると、本実例の雨水貯留浸透システムＳ２は、図４に示すように、貯留浸透施設１と、夾雑物受枠２と、点検口３，３と、を備えている。
【００７８】
そして、本実施例では、前記実施の形態とは異なり、夾雑物受枠２は点検口３の内部までは延長されずに、さや管４の内部で変換継手５に接続されて、この変換継手５が点検口３のインバート部８１に嵌合されている。
【００７９】
この変換継手５は、図５に示すように、受枠側端縁５１が断面略コ字状に形成され、点検口側端縁５２が断面略Ｕ字状に形成されて、中間部分は略コ字状から略Ｕ円状に断面形状が滑らかに変化するように形成されている。
【００８０】
また、受枠側端縁５１の内側には段差部５３が設けられて夾雑物受枠２が嵌合されるとともに、点検口側端縁５２はインバート部８１に設けた嵌合用の段差（不図示）に嵌合されている。
【００８１】
次に、作用について説明する。
【００８２】
このように、本実施例の雨水貯留浸透システムＳ３は、貯留浸透施設１と夾雑物受枠２と点検口３，３とを備える雨水貯留浸透システムＳ３であって、貯留浸透施設１と点検口３とが間隔をおいて配置されている場合に、夾雑物受枠２と点検口３のインバート部８１とは、断面形状が滑らかに変化する変換継手５によって接続されている。
【００８３】
したがって、点検口３がインバート部８１を有する場合でも、夾雑物受枠２とインバート部８１とを滑らかに接続することで、夾雑物が溜まることがなくなるうえに夾雑物を容易に除去できる。
【００８４】
すなわち、インバート部８１は断面略Ｕ字状の溝を有して形成されるため、断面略コ字状の夾雑物受枠２をそのままの形状で延長してインバート部８１に接続することはできない。
【００８５】
そこで、夾雑物受枠２の端部に変換継手５を接続させて、この変換継手５をインバート部８１に接続させることで、インバート部８１への接続を可能にしている。
【００８６】
そして、この変換継手５は、夾雑物受枠２に嵌合する形状からインバート部８１のＵ字溝に嵌合する形状へと、断面形状を滑らかに変化させて形成されるため、雨水の流れを滞留させることがないうえに、夾雑物を堆積させることもない。
【００８７】
さらに、変換継手５を用いて、インバート部８１を有する点検口３に夾雑物受枠２を滑らかに接続させることで、点検口３にバキュームホースなどを挿入する際にインバート部８１の傾斜を利用して挿入できるため、挿入が容易になる。
【００８８】
加えて、このようにインバート部８１を有する点検口３に夾雑物受枠２を接続させることで、点検口３の内部の雨水の貯留容量を抑制して、貯留浸透施設１を通じた雨水の貯留・浸透を効率よくおこなうことができる。
【００８９】
なお、この他の構成および作用効果については、前記実施の形態と略同様であるため説明を省略する。
【実施例３】
【００９０】
以下、図６，７を用いて、前記実施の形態及び実施例１，２とは別の形態の雨水貯留浸透システムＳ３について説明する。
【００９１】
なお、前記実施の形態で説明した内容と同一乃至均等な部分の説明については同一符号を付して説明する。
【００９２】
まず、構成から説明すると、本実例の雨水貯留浸透システムＳ３は、図６に示すように、貯留浸透施設１と、夾雑物受枠２と、点検口３，３と、を備えている。
【００９３】
そして、本実施例の雨水貯留浸透システムＳ３は、前記実施の形態とは異なり、図６，７に示すように、点検口３，３が充填部材６，・・・を貫通するように設置されている。
【００９４】
つまり、充填部材６，・・・の平面中央には点検口３の外径と略同一径の嵌合孔が設けられ、この嵌合孔に上方から本体筒部３２が挿入されて、サドル３５によって懸垂して支持されている。
【００９５】
この点検口３は、合成樹脂によって形成されるもので、円筒状の下筒部３２ａとこの下筒部３２ａに嵌め合わされる円筒状の上筒部３２ｂとを有する本体筒部３２と、この本体筒部３２とは分離されて台座３４を介して地盤７に支持される蓋部３３と、を備えている。
【００９６】
この本体筒部３２の下筒部３２ａは、下端を貯留浸透施設１の内部に敷設された夾雑物受枠２の上方に位置させるとともに、上端を貯留浸透施設１の上面から突出するように位置させて、サドル３５によって貯留浸透施設１に支持されている。
【００９７】
このサドル３５は、合成樹脂によって略Ｌ字断面の円環状に形成されるもので、Ｌ字の一方が貯留浸透施設１の上面に載置して固定され、他方が本体筒部３２の側面に接着して固定される。
【００９８】
そして、図７（ａ）（ｂ）に示すように、２列に充填部材６，・・・を配列する場合、夾雑物受枠２が挿入される列の充填部材６，・・・は、延長方向の一方を向くように傾斜面６３ａを揃え、夾雑物受枠２が挿入されない列の充填部材６，・・・は、夾雑物受枠２が挿入される列の方向に向けて傾斜させる。
【００９９】
次に、作用について説明する。
【０１００】
このように、本実施例の雨水貯留浸透システムＳ３は、貯留浸透施設１と夾雑物受枠２と点検口３，３とを備える雨水貯留浸透システムＳ３であって、点検口３は、本体筒部３２と蓋部３３とを有し、本体筒部３２は夾雑物受枠２の上方に位置して下方を向いて開口するように貯留浸透施設１に固定されるとともに、蓋部３３は本体筒部３２と分離されて地盤７に支持される。
【０１０１】
したがって、貯留浸透施設１内に点検口３を設置することで雨水貯留浸透システムＳ３全体の設置面積を小さくできるうえに、蓋部３３が本体筒部３２と分離されて地盤７に支持されることで上載荷重が夾雑物受枠２に作用することを防止できる。
【０１０２】
つまり、貯留浸透施設１の設置領域内に点検口３，３を設置すれば、点検口３，３を設置領域外に設置した場合と比べて、点検口３，３の面積に相当する分の面積だけ雨水貯留浸透システムＳ３の面積を小さくできる。
【０１０３】
さらに、蓋部３３は本体筒部３２と分離されることで、蓋部３３に上載荷重が作用した場合に、蓋部３３から台座３４を通じて地盤７に荷重を分散させることができる。したがって、上載荷重が本体筒部３２に直接的に作用して本体筒部３２が破損することを防止できる。
【０１０４】
加えて、この本体筒部３２の下端は夾雑物受枠２から距離をおいて設置されているため、仮に本体筒部３２に上載荷重が作用した場合にも、夾雑物受枠２を破損させることはない。
【０１０５】
そして、貯留浸透施設１の設置区域内に点検口３，３を設置することで、雨水貯留浸透システムＳ３の設置面積が同じ場合には、貯留浸透施設１の面積を広くして、容量を大きくすることができる。
【０１０６】
また、貯留浸透施設１は、複数の充填部材６，・・・を組立てることによって構成されるとともに、充填部材６は雨水を一定方向に誘導して流下させる誘導手段としての傾斜面６３ａを有することで、充填部材６，・・・を複数列敷設した際でも、夾雑物を一方向に集めて効率よく除去できる。
【０１０７】
つまり、図７（ａ）（ｂ）に示すように、夾雑物受枠２が挿入される一方の列の充填部材６，・・・は延長方向の一方を向くように傾斜面６３ａを揃え、挿入されない他方の列の充填部材６，・・・は、夾雑物受枠２の列に向けて傾斜させる。
【０１０８】
そうすると、図７（ｂ）の矢印で示すように、一方の列を流下する雨水は他方の列を流下するように流れるため、最終的には夾雑物受枠２に夾雑物が貯留されることになる。
【０１０９】
したがって、充填部材６，・・・を複数列敷設した際でも、夾雑物を夾雑物受枠２が敷設された充填部材６，・・・の列に集めることで、この夾雑物受枠２にバキュームホースを挿入して夾雑物を除去することができる。
【０１１０】
なお、この他の構成および作用効果については、前記実施の形態と略同様であるため説明を省略する。
【０１１１】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１１２】
例えば、前記実施の形態及び実施例では、貯留浸透施設１は透水シート１４によって覆われる浸透タイプの場合について説明したが、これに限定されるものではなく、遮水シートによって覆われる貯留タイプのものであってもよい。
【０１１３】
また、前記実施の形態及び実施例では、点検口３は１つの貯留浸透施設１の両側に１つずつ配置される場合について説明したが、これに限定されるものではなく、２つの貯留浸透施設１，１の間に挟まれるように配置されて、両方の貯留浸透施設１，１の点検・整備に用いられるものであってもよい。
【０１１４】
さらに、前記実施の形態及び実施例では、雨水を一定方向に誘導して流下させる誘導手段として傾斜面６３ａを有する傾斜板部６３を設ける場合について説明したが、これに限定されるものではなく、別に用意した管や仕切り板や整流用の板などを用いるものであってもよく、要は夾雑物受枠２に向かって流下させる手段であればよい。
【０１１５】
そして、前記実施例３では、点検口３，３が貯留浸透施設１の端部の充填部材６に設置される場合について説明したが、これに限定されるものではなく、点検口３，３は端部以外に設置されるものであってもよい。
【０１１６】
例えば、全長の１／４の地点と３／４の地点の２箇所に設置することで、点検口３，３からの到達距離を等しくするように構成することもできるし、全長の１／２の地点（中央）に１箇所だけ設置することもできる。
【図面の簡単な説明】
【０１１７】
【図１】本発明の最良の実施の形態の雨水貯留浸透システムの構成について説明する断面図である。
【図２】本発明の最良の実施の形態の雨水貯留浸透システムの構成について部材を破断して説明する斜視図である。
【図３】実施例１の雨水貯留浸透システムの構成を説明する断面図である。
【図４】実施例２の雨水貯留浸透システムの構成を説明する断面図である。
【図５】変換継手の構成を説明する斜視図である。
【図６】実施例３の雨水貯留浸透システムの構成を説明する断面図である。
【図７】傾斜板部の作用を説明する説明図である。（ａ）は平面図であり、（ｂ）は側面図である。
【図８】充填部材の構成を分解して説明する分解斜視図である。
【図９】従来の雨水貯留浸透システムの構成を説明する斜視図である。
【符号の説明】
【０１１８】
Ｓ，Ｓ１，Ｓ２，Ｓ３  雨水貯留浸透システム
１          貯留浸透施設
１１        外面
１２        自在曲管
２          夾雑物受枠
３          点検口
３１        内面
３２        本体筒部
３３        蓋部
３４        台座
３５        サドル
３６        外面
３８        挿口
４          さや管
５          変換継手
６          充填部材
６３ａ      傾斜面（誘導手段）
６９        側板
８１        インバート部
【図１】
2009249874.tif 000003
【図２】
2009249874.tif 000004
【図３】
2009249874.tif 000005
【図４】
2009249874.tif 000006
【図５】
2009249874.tif 000007
【図６】
2009249874.tif 000008
【図７】
2009249874.tif 000009
【図８】
2009249874.tif 000010
【図９】
2009249874.tif 000011